(57)【要約】【課題】短時間で黒映像の表示を完了させることにより、少ない消費電力で黒映像の表示を行う。【解決手段】液晶表示装置（１）は、メイン電源（１１）がオフすると、サブ電源部（１３）を用いて、ゲートドライバ（３５ａ〜３５ｈ）に、同じタイミングで第２ＧＳＰ（８Ｇ２）を出力し、ゲートドライバ（３５ａ〜３５ｈ）及びソースドライバ（４０）にてセル（５１）に黒映像を出力させるＴＣＯＮ（２０）を備える。【選択図】図１
2017067959.tif 000002
【特許請求の範囲】
【請求項１】
液晶素子を備える表示パネルと、上記液晶素子を駆動する信号線駆動部及び複数の走査線駆動部と、メイン電源がオフされたことを検知するメイン電源オフ検知部と、上記メイン電源がオフになった際、少なくとも上記信号線駆動部及び上記複数の走査線駆動部を含む回路の電源電圧の降下を遅延させるサブ電源部とを備えた表示装置において、
上記メイン電源のオフを検知したときに、上記サブ電源部を用いて、上記複数の走査線駆動部に、ゲートスタートパルスを出力し、当該複数の走査線駆動部及び上記信号線駆動部にて上記液晶素子に黒映像を出力させるタイミングコントローラを備えることを特徴とする表示装置。
【請求項２】
上記タイミングコントローラは、上記複数の走査線駆動部の全てに上記ゲートスタートパルスを出力することを特徴とする請求項１に記載の表示装置。
【請求項３】
上記複数の走査線駆動部は、上記表示パネルのうち、第１の領域に含まれる上記液晶素子を駆動する第１の走査線駆動部と、第１の領域とは異なる第２の領域に含まれる上記液晶素子を駆動する第２の走査線駆動部とを含み、
上記タイミングコントローラは、上記第１の走査線駆動部及び上記第２の走査線駆動部の両方に、同じタイミングで上記ゲートスタートパルスを出力することを特徴とする請求項１に記載の表示装置。
【請求項４】
上記第１の走査線駆動部と、上記第２の走査線駆動部とは、上記黒映像を出力するための走査線の走査方向が異なっており、
上記タイミングコントローラは、上記第１の走査線駆動部及び上記第２の走査線駆動部のそれぞれにおける、最初に走査を開始するシフトレジスタに対し、同じタイミングで上記ゲートスタートパルスを出力することを特徴とする請求項３に記載の表示装置。
【請求項５】
請求項１〜４の何れか１項に記載の表示装置を備えていることを特徴とするテレビジョン受像機。
【発明の詳細な説明】
【技術分野】
【０００１】
本発明はサブ電源部を備える表示装置及びテレビジョン受像機に関する。
【背景技術】
【０００２】
フラットパネル表示装置の代表的なものとして、アクティブマトリックス液晶表示装置がある。この液晶表示装置は、液晶表示素子を用いており、軽量、薄型及び低消費電力等の特徴から、テレビを中心として各種電子機器等の様々な分野に用いられている。
【０００３】
液晶表示素子としては、薄膜トランジスタ（ＴＦＴ）により駆動される各画素がマトリクス状に形成された表示領域を備えたアクティブマトリクス型のものがある。この液晶表示素子は、アレイ基板と対向基板とを対向配置し、これら基板間に液晶層を介在して構成されている。
【０００４】
また、表示領域には、ゲートドライバに電気的に接続されたゲート線と、ソースドライバに電気的に接続されたソース線とが画素の間に沿って格子状に配置され、ゲート線とソース線との交点近傍に、ゲート線及びソース線それぞれに電気的に接続された薄膜トランジスタと保持容量とが配置されている。さらに、画素は、アレイ基板側に配置された画素電極と、対向基板側に配置された共通電極との間に液晶層が配置されて構成されている。
【０００５】
そして、ゲートドライバに入力される走査線駆動信号と、ソースドライバに入力される信号線駆動信号とに基づいて、ゲート線とソース線との交点近傍に位置する薄膜トランジスタがオンオフされ、この薄膜トランジスタのオンオフにより各画素の画素電極に印加される電圧が変化することによって、各画素の表示状態が変化する。
【０００６】
しかしながら、このような液晶表示素子では、電源が遮断された後に、保持容量及び液晶容量に電荷が残ることによって、電源を遮断する直前まで画素により表示されていた画像が残像として表示されてしまう虞がある。
【０００７】
そこで、そのような残像対策として様々な技術が提案されている。
【０００８】
例えば、特許文献１に開示された液晶表示装置１００は、図１５に示すように、液晶素子を備える表示パネル１１０と、表示パネル１１０を駆動する駆動回路１２０と、電源回路部１３０とを備えている。電源回路部１３０は、メイン電源１３１と、メイン電源１３１がオフされたことを検知する遮断検出部１３４と、メイン電源１３１のオフへの切り替わりを検知したときに、表示パネル１１０へ電力を供給するバックアップ用電源１３３とを備えている。この液晶表示装置１００では、表示パネル１１０のタイミングコントローラ１２２は、遮断検出部１３４の検知結果を取得して動作を初期化し、駆動回路１２０に対して書き込み処理を強制的に中断して表示パネル１１０の先頭ラインから黒データを書き込むためゲートスタートパルス（ＧＳＰ）を出力し、表示パネル１１０の駆動回路１２０は、メイン電源１３１がオフされた後に所定フレームだけ、バックアップ用電源１３３の電力を用いて、黒データによる黒映像を出力する。
【先行技術文献】
【特許文献】
【０００９】
【特許文献１】特開２０１２‐１３３１８２号公報（２０１２年７月１２日公開）
【発明の概要】
【発明が解決しようとする課題】
【００１０】
ここで、上記従来の液晶表示装置１００は、ゲートドライバ１２４が１個だけ配置されている。
【００１１】
しかし、近年、大画面化に伴い、液晶表示装置において、複数のゲートドライバを備え、当該複数のゲートドライバにより、走査線を走査することで映像を表示する方式がとられている場合がある。複数のゲートドライバにより通常映像を表示する場合、各ゲートドライバを順次駆動し、それぞれに走査線を走査させる。このため、メイン電源が遮断されたあと、バックアップ用電源の電力を用いて黒映像を表示する際も、各ゲートドライバは、通常映像を表示する場合と同様に順次駆動し、それぞれのゲートドライバと接続された各走査線を順次に走査することで、黒データを書き込み、これにより黒映像を表示する。このため、バックアップ用電源を用いた際に黒映像の表示が完了するまでの時間が長く、バックアップ用電源として予め充電しておくべき電力量を低減することができないという問題があった。
【００１２】
本発明は、上記従来の問題点に鑑みなされたものであって、その目的は、サブ電源部を用いて複数のゲートドライバにより黒映像を表示するに際し、短時間で黒映像の表示を完了させることにより、少ない消費電力で黒映像の表示が可能な表示装置及びテレビジョン受像機を提供することにある。
【課題を解決するための手段】
【００１３】
上記の課題を解決するために、本発明の一態様に係る表示装置は、液晶素子を備える表示パネルと、上記液晶素子を駆動する信号線駆動部及び複数の走査線駆動部と、メイン電源がオフされたことを検知するメイン電源オフ検知部と、上記メイン電源がオフになった際、少なくとも上記信号線駆動部及び上記複数の走査線駆動部を含む回路の電源電圧の降下を遅延させるサブ電源部とを備えた表示装置において、上記メイン電源のオフを検知したときに、上記サブ電源部を用いて、上記複数の走査線駆動部に、ゲートスタートパルスを出力し、当該複数の走査線駆動部及び上記信号線駆動部にて上記液晶素子に黒映像を出力させるタイミングコントローラを備えることを特徴とする。
【発明の効果】
【００１４】
本発明の一態様によれば、サブ電源部を用いて複数のゲートドライバにより黒映像を表示するに際し、短時間で黒映像の表示を完了させることにより、少ない消費電力で黒映像の表示が可能な表示装置及びテレビジョン受像機を得るという効果を奏する。
【図面の簡単な説明】
【００１５】
【図１】本発明の実施形態１に係る液晶表示装置が通常映像を表示する様子を表す図である。
【図２】本発明の実施形態１に係る表示パネルの構成を表す図である。
【図３】本発明の実施形態１に係る液晶表示装置のゲートドライバの構成及び通常映像を表示する際の信号の流れを表す図である。
【図４】本発明の実施形態１に係る液晶表示装置における、黒書き込みをしているゲートドライバを表す図である。
【図５】本発明の実施形態１に係る液晶表示装置が黒書き込みをする際のタイミングチャートを表す図である。
【図６】本発明の実施形態１に係る液晶表示装置が黒映像を表示する様子を表す図である。
【図７】黒書き込みをする際の長さを比較した図である。
【図８】本発明の実施形態１に係る液晶表示装置を備えるテレビジョン受像機の構成を表す図である。
【図９】本発明の実施形態２に係る第１状態である液晶表示装置の構成を表す図である。
【図１０】本発明の実施形態２に係る第２状態である液晶表示装置の構成を表す図である。
【図１１】本発明の実施形態２に係る液晶表示装置が黒書き込みをする際のタイミングチャートを表す図である。
【図１２】本発明の実施形態３に係る液晶表示装置が通常映像を表示する様子を表す図である。
【図１３】本発明の実施形態３に係る液晶表示装置が黒映像を表示する様子を表す図である。
【図１４】本発明の実施形態３に係る液晶表示装置が黒書き込みをする際のタイミングチャートを表す図である。
【図１５】従来の液晶表示装置の構成を表す図である。
【発明を実施するための形態】
【００１６】
〔実施形態１〕
本発明の実施形態１について図１〜図７に基づいて説明すれば、以下のとおりである。
【００１７】
図１は、本発明の実施形態１に係る液晶表示装置（表示装置）１が通常映像を表示する様子を表す図である。図２は、液晶表示装置１における表示パネル５０の構成を表す図である。
【００１８】
液晶表示装置１は、一例としてテレビジョン受像機に使用することができる。しかし、本発明の液晶表示装置を適用できる対象は、必ずしもテレビジョン受像機に限らず、例えば、他のパーソナルコンピュータのモニタや、タブレット、スマートフォン等の画像表示装置に適用することができる。
【００１９】
液晶表示装置１は、メイン電源遮断時に２０ｍｓ程度電源を保持するバックアップ用の電源として機能するサブ電源部が用意されている。液晶表示装置１は、電源遮断時に電圧降下を検出し、検知信号である遮断検出信号をトリガーにサブ電源部が起動し、パネル駆動用の駆動回路にて表示パネルに黒映像を表示するよう液晶を駆動するようになっている。
【００２０】
図１に示すように、液晶表示装置１は、主に、主制御部５と、駆動回路７と、電源回路部１０と、表示パネル５０とを備えている。駆動回路７は、ＴＣＯＮ（タイミングコントローラ）２０と、ゲートドライバユニット３０と、ソースドライバ（信号線駆動部）４０と、画像データ回路４５とを備えている。ゲートドライバユニット３０は、基板３１と、複数のゲートドライバ（走査線駆動部）３５ａ〜３５ｈと、ＳＷ（スイッチ）３６ａ〜３６ｈとを備えている。
【００２１】
図２に示すように、表示パネル５０は、アクティブマトリックス方式の液晶表示パネルである。表示パネル５０は、データ設定用トランジスタ５３及びデータ設定用トランジスタ５３に接続された画素電極がアレイ状に配置されたアレイ基板と、液晶層を介してアレイ基板と対向配置され、全面に対向電極（コモン電極）が配置された対向基板とを備えている。表示パネル５０には、マトリックス状に画素であるセル（液晶素子）５１が配置されている。なお、ここでは、１個のゲートドライバ３５ａ近傍の、３×３の９セルについて例示している。セル５１は、液晶電極５２とデータ設定用トランジスタ５３とを備えている。液晶電極５２は、画素電極と、液晶層と、対向電極とから構成されている。なお、セル５１として、ここでは最もシンプルな構造について例示している。
【００２２】
データ設定用トランジスタ５３は、スイッチング素子として機能する薄膜トランジスタ（ＴＦＴ：Thin Film Transistor）である。そして、データ設定用トランジスタ５３のゲートはゲート線（走査線）ＧＬに接続されていると共に、データ設定用トランジスタ５３のソースはデータ線ＤＬに接続され、ドレインは画素電極に接続されている。
【００２３】
図１に示すように、電源回路部１０は、メイン電源１１と、パネル電源１２と、サブ電源部１３と、遮断検出部（メイン電源オフ検知部）１４とを備える。なお、ここでは各構成要素に供給する個々の電源として、パネル電源１２についてのみ例示しているが、当然に、他の構成要素等に対する電源がそれぞれに用意される。
【００２４】
メイン電源１１は、外部の交流電源を直流に変換して、各構成要素に電力を供給する。
【００２５】
パネル電源１２は、メイン電源１１から供給された電力を所望の電圧及び電流に変換して、駆動回路７に供給する。
【００２６】
サブ電源部１３は、メイン電源１１がオフされたときに、黒映像を挿入する処理のために、２０ｍｓ程度だけ駆動回路７を駆動させる電源として機能する。ここでは、サブ電源部１３は、メイン電源１１がオフになった際、少なくともソースドライバ４０及び複数のゲートドライバ３５ａ〜３５ｈを含む駆動回路７の電源電圧の降下を遅延させる。サブ電源部１３として、簡単な構成のものでは、例えば、大容量のコンデンサを用いることができる。
【００２７】
遮断検出部１４は、メイン電源１１がオフされると、メイン電源１１がオフされたことを示す遮断検出信号を生成し、サブ電源部１３の電力をパネル電源１２に出力する。また、検知結果である遮断検出信号を主制御部５に通知する。
【００２８】
主制御部５は、電源遮断時に、表示パネル５０の各セル５１に、黒映像を表示するための黒データの書き込み（以下、黒書き込みと称する場合がある）を指示する制御信号をＴＣＯＮ２０へ出力する。主制御部５及びＴＣＯＮ２０間には、当該制御信号を流すための遮断時リセット信号線が接続されている。
【００２９】
遮断検出信号を取得した主制御部５は、遮断時リセット信号線にリセット信号（オンレベル）を重畳して出力する。なお、遮断検出信号は、主制御部５を介さずに遮断検出部１４からＴＣＯＮ２０へ直接、出力されてもよい。
【００３０】
画像データ回路４５は、外部から入力されるクロック信号に基づいて、水平同期信号、垂直同期信号、及び輝度データであるＲＧＢのデータ信号を生成する。そして、画像データ回路４５は、水平同期信号、垂直同期信号をＴＣＯＮ２０へ出力し、データ信号をソースドライバ４０へ出力する。
【００３１】
ＴＣＯＮ２０は、ゲートドライバユニット３０、ソースドライバ４０、及びＳＷ３６ａ〜３６ｈの動作のタイミング制御をする。ＴＣＯＮ２０は、ゲートドライバユニット３０へ、第１ＧＳＰ（ゲートスタートパルス）８Ｇ１、第２ＧＳＰ（ゲートスタートパルス）８Ｇ２、ゲートクロック（ＧＣＫ）、及びＳＷ３６ａ〜３６ｈの制御信号を出力する。ＴＣＯＮ２０からゲートドライバユニット３０へ、第１ＧＳＰ８Ｇ１を出力するための第１ＧＳＰ信号線と、第２ＧＳＰ８Ｇ２を出力するための第２ＧＳＰ信号線が設けられている。
【００３２】
第１ＧＳＰ８Ｇ１は、メイン電源１１を用いて通常映像を表示パネル５０に表示させるときに、ＴＣＯＮ２０からゲートドライバ３５ａへ入力されるＧＳＰである。第２ＧＳＰ８Ｇ２は、メイン電源１１が遮断されサブ電源部１３を用いて黒映像を表示パネル５０に表示させるときに、ＴＣＯＮ２０から各ゲートドライバ３５ａ〜３５ｈへ入力されるＧＳＰである。
【００３３】
なお、第１ＧＳＰ信号線は専用線である。一方、第２ＧＳＰ信号線は、専用線が設けられてもよいし、通常のコントロール信号が重畳される信号線が利用されてもよい。ＴＣＯＮ２０は、ソースドライバ４０へ、データスタートパルス（ＤＳＰ）、データクロック（ＤＣＫ）を出力する。ＴＣＯＮ２０は、主制御部５から遮断時リセット信号線を介してリセット信号（パルス信号）が入力されると、タイミング動作を初期化して、第２ＧＳＰ８Ｇ２を立ち上げ、当該第２ＧＳＰ８Ｇ２をゲートドライバユニット３０へ出力する。
【００３４】
ソースドライバ４０は、パネル電源１２から出力された駆動電圧を、ゲートドライバユニット３０の走査に同期して表示内容、つまり輝度データに対応した信号電圧をデータ線ＤＬに重畳して出力する。
【００３５】
ゲートドライバユニット３０は、基板３１に、複数のゲートドライバ３５ａ〜３５ｈと、ＳＷ３６ａ〜３６ｈとが配置された構成を有する。各ゲートドライバ３５ａ〜３５ｈは、後述するように、それぞれ、直列接続された複数のシフトレジスタを備えている。
【００３６】
各ゲートドライバ３５ａ〜３５ｈは、それぞれ、複数のゲート線ＧＬと接続されており、通常映像又は黒映像を表示する際、各ゲートドライバ３５ａ〜３５ｈは、順次、それぞれに接続されているゲート線ＧＬを走査する。そして、ソースドライバ４０からデータ信号が出力されることで、走査されたゲートラインＧＬと接続されている各セル５１に、通常映像を表示するための通常映像データ又は黒映像を表示するための黒データが書き込まれる。
【００３７】
ＳＷ３６ａ〜３６ｇは、ＴＣＯＮ２０からの制御信号により、オン（導通）状態と、オフ（非導通）状態とが切り替わる。
【００３８】
ＳＷ３６ａ〜３６ｇは、メイン電源１１を用いた通常映像を表示するための第１ＧＳＰ８Ｇ１が通る経路及び前段のゲートドライバの出力を後段のゲートドライバの入力に接続する経路に配置されている。ゲートドライバ３５ａ〜３５ｈと、ＳＷ３６ａ〜３６ｈとは交互に直列接続されている。
【００３９】
具体的には、ＳＷ３６ａはＴＣＯＮ２０とゲートドライバ３５ａとの間に配置され、ＳＷ３６ｂはゲートドライバ３５ａ・３５ｂ間に配置され、ＳＷ３６ｃはゲートドライバ３５ｂ・３５ｃ間に配置され、ＳＷ３６ｄはゲートドライバ３５ｃ・３５ｄ間に配置され、ＳＷ３６ｅはゲートドライバ３５ｄ・３５ｅ間に配置され、ＳＷ３６ｆはゲートドライバ３５ｅ・３５ｆ間に配置され、ＳＷ３６ｇはゲートドライバ３５ｆ・３５ｇ間に配置され、ＳＷ３６ｈはゲートドライバ３５ｇ・３５ｈ間に配置されている。
【００４０】
ＳＷ３６ａ〜３６ｇは、それぞれ、例えば、トランジスタなどにより構成することができる。
【００４１】
各ゲートドライバ３５ａ〜３５ｈは、ＴＣＯＮ２０から出力された駆動電圧を、所定の制御タイミングに基づいてゲート線ＧＬに走査パルスとして印加し、そのゲート線ＧＬに接続されたスイッチング素子であるデータ設定用トランジスタ５３を順次選択状態にする。ソースドライバ４０及びゲートドライバユニット３０の走査は、上述の通りＴＣＯＮ２０によってタイミング制御される。
【００４２】
メイン電源１１を用いて通常映像を表示する際、ゲートドライバユニット３０の先頭のゲートドライバ３５ａに、ＴＣＯＮ２０から出力された第１ＧＳＰ８Ｇ１が入力される。これにより、ゲートドライバ３５ａが備えるシフトレジスタが、各シフトレジスタと接続されているゲート線ＧＬを順次走査していくシフト動作を行っていき、ゲートドライバ３５ａからの出力はＳＷ３６ｂを介して後段のゲートドライバ３５ｂへ入力される。そして、ゲートドライバ３５ｂが備えるシフトレジスタが、各シフトレジスタと接続されているゲート線ＧＬを順次走査していくシフト動作を行っていき、ゲートドライバ３５ｂからの出力はＳＷ３６ｃを介して後段のゲートドライバ３５ｄへ入力される。このように、第１ＧＳＰ８Ｇ１のゲートドライバ３５ａへの入力をきっかけとして、前段のゲートドライバからの出力が後段のゲートドライバへ入力される。これにより、各ゲートドライバ３５ａ〜３５ｈは、通常映像を表示するために、順次、パネル先頭ライン側からゲート線ＧＬ線を走査していく。図１に示す矢印Ａ１は、表示パネル５０が通常映像を表示する際、各ゲートドライバ３５ａ〜３５ｈがゲート線ＧＬを走査する方向、すなわち、ゲート線ＧＬに接続された各セル５１にデータが書き込まれる方向を示している。
【００４３】
一方、メイン電源１１が遮断された後、サブ電源部１３を用いて黒映像を表示する際、ゲートドライバユニット３０には、ＴＣＯＮ２０から出力されたオンレベルの第２ＧＳＰ８Ｇ２が、各ゲートドライバ３５ａ〜３５ｈの先頭のシフトレジスタへ同タイミングで入力されると共に、ＴＣＯＮ２０からの制御信号の入力により、各ＳＷ３６ａ〜３６ｈが非導通となるよう切り替えられる。これにより、各ゲートドライバ３５ａは、一斉に同タイミングで、黒映像を表示するためにゲート線ＧＬをパラレルに走査していく。これにより、短時間で黒映像の表示を完了させることができる。
【００４４】
図３は、液晶表示装置１のゲートドライバの構成及び通常映像を表示する際の信号の流れを表す図である。
【００４５】
なお、図３では、ゲートドライバ３５ａ〜３５ｈのうち、ゲートドライバ３５ａ・３５ｂと、ゲートドライバ３５ｃの一部のみを表しているが、ゲートドライバ３５ｃの他の部分及びゲートドライバ３５ｄ〜３５ｈも同様の構成である。
【００４６】
ゲートドライバ３５ａは、直列接続されたシフトレジスタ３５ａ１〜３５ａ４を備えている。ゲートドライバ３５ｂは、直列接続されたシフトレジスタ３５ｂ１〜３５ｂ４を備えている。なお、各ゲートドライバ３５ａ〜３５ｈが備えるシフトレジスタの個数は、４個に限定されるものではなく、４個以外の複数個であってもよい。
【００４７】
各ゲートドライバが備えるシフトレジスタのうち、先頭のシフトレジスタよりも前段にはＳＷ３６ａ〜３６ｈの何れかが設けられている。すなわち、ゲートドライバ３５ａが備えるシフトレジスタ３５ａ１〜３５ａ４のうち、先頭のシフトレジスタ３５ａよりも前段であってＴＣＯＮ２０との間にＳＷ３６ａが配置されている。ゲートドライバ３５ｂが備えるシフトレジスタ３５ｂ１〜３５ｂ４のうち、先頭のシフトレジスタ３５ｂよりも前段であってシフトレジスタ３５ａ４との間にＳＷ３６ｂが配置されている。ゲートドライバ３５ｃが備えるシフトレジスタのうち、先頭のシフトレジスタ３５ｃ１よりも前段であってシフトレジスタ３５ｂ４との間にＳＷ３６ｃが配置されている。
【００４８】
通常映像を表示する際、各ＳＷ３６ａ〜３６ｈは、ＴＣＯＮ２０から入力された制御信号により、導通状態となっている。
【００４９】
ＴＣＯＮ２０は、ＧＣＫ、第１ＧＳＰ８Ｇ１、及び第２ＧＳＰ８Ｇ２を、ゲートドライバユニット３０へ出力する。ＧＣＫは、ＴＣＯＮ２０から、各シフトレジスタ３５ａ１〜３５ａ４、３５ｂ１〜３５ｂ４、…へ入力される。第１ＧＳＰ８Ｇ１は、ＴＣＯＮ２０から、ＳＷ３６ａへ入力されることで、当該ＳＷ３６ａを介して、先頭のシフトレジスタ３５ａへ入力される。第２ＧＳＰ８Ｇ２は、ＴＣＯＮ２０から、ＳＷ３６ａを介さず、先頭のシフトレジスタ３５ａへ入力される。第２ＧＳＰ８Ｇ２は、通常映像の表示時には、オフ（ロウ）レベルの信号である。
【００５０】
先頭のシフトレジスタ３５ａ１は、ＧＣＫと、ＳＷ３６ａを介して第１ＧＳＰ８Ｇ１とが入力されると、出力Ｑ１を、自身と接続されているゲート線ＧＬ及び後段のシフトレジスタ３５ａ２へ出力する。出力Ｑ１が入力されたゲート線ＧＬは選択状態となり、当該ゲート線ＧＬに接続されたセル５１に、通常映像を表示するための通常データの書き込み（以下、通常書き込みと称する）がされる。
【００５１】
シフトレジスタ３５ａ２は、出力Ｑ１とＧＣＫとが入力されると、出力Ｑ２を、自身と接続されているゲート線ＧＬ及び後段のシフトレジスタ３５ａ３へ出力する。出力Ｑ２が入力されたゲート線ＧＬは選択状態となり、当該ゲート線ＧＬに接続されたセル５１に通常書き込みがされる。シフトレジスタ３５ａ３は、出力Ｑ２とＧＣＫとが入力されると、出力Ｑ３を、自身と接続されているゲート線ＧＬ及び後段のシフトレジスタ３５ａ４へ出力する。出力Ｑ３が入力されたゲート線ＧＬは選択状態となり、当該ゲート線ＧＬに接続されたセル５１に通常書き込みがされる。シフトレジスタ３５ａ４は、出力Ｑ３とＧＣＫとが入力されると、出力Ｑ４を、自身と接続されているゲート線ＧＬ及びＳＷ３６ｂを介して後段のシフトレジスタ３５ｂ１へ出力する。出力Ｑ４が入力されたゲート線ＧＬは選択状態となり、当該ゲート線ＧＬに接続されたセル５１に通常書き込みがされる。
【００５２】
シフトレジスタ３５ｂ１は、出力Ｑ４とＧＣＫとが入力されると、出力Ｑ１を、自身と接続されているゲート線ＧＬ及び後段のシフトレジスタ３５ｂ２へ出力する。出力Ｑ１が入力されたゲート線ＧＬは選択状態となり、当該ゲート線ＧＬに接続されたセル５１に通常書き込みがされる。シフトレジスタ３５ｂ２は、出力Ｑ１とＧＣＫとが入力されると、出力Ｑ２を、自身と接続されているゲート線ＧＬ及び後段のシフトレジスタ３５ｂ３へ出力する。出力Ｑ２が入力されたゲート線ＧＬは選択状態となり、当該ゲート線ＧＬに接続されたセル５１に通常書き込みがされる。
【００５３】
シフトレジスタ３５ｂ３は、出力Ｑ２とＧＣＫとが入力されると、出力Ｑ３を、自身と接続されているゲート線ＧＬ及び後段のシフトレジスタ３５ｂ４へ出力する。出力Ｑ３が入力されたゲート線ＧＬは選択状態となり、当該ゲート線ＧＬに接続されたセル５１に通常書き込みがされる。シフトレジスタ３５ｂ４は、出力Ｑ３とＧＣＫとが入力されると、出力Ｑ４を、自身と接続されているゲート線ＧＬ及びＳＷ３６ｃを介して後段のシフトレジスタ３５ｃ１へ出力する。出力Ｑ４が入力されたゲート線ＧＬは選択状態となり、当該ゲート線ＧＬに接続されたセル５１に通常書き込みがされる。
【００５４】
シフトレジスタ３５ｃ１以降のシフトレジスタも同様にしてシフト動作を行っていく。これにより、表示パネル５０の全面に通常映像が表示される。
【００５５】
図４は、黒書き込みをしているゲートドライバを表す図である。メイン電源１１がオフされることで、ＴＣＯＮ２０に、主制御部５から遮断時リセット信号線を介してリセット信号が入力される。すると、ＴＣＯＮ２０は、ＧＣＫ、ＳＷ３６ａ〜３６ｈ切り替え用の制御信号、第１ＧＳＰ８Ｇ１及びオン（ハイ）レベルの第２ＧＳＰ８Ｇ２、をゲートドライバユニット３０へ出力する。
【００５６】
ＧＣＫは、ＴＣＯＮ２０から、各シフトレジスタ３５ａ１〜３５ａ４、３５ｂ１〜３５ｂ４、…へ入力される。
【００５７】
ＳＷ３６ａ〜３６ｈ切り替え用の制御信号は、各ＳＷ３６ａ〜３６ｈへ入力される。これにより、各ＳＷ３６ａ〜３６ｈはオフ（非導通）状態へ切り替わる。
【００５８】
第１ＧＳＰ８Ｇ１は、ＳＷ３６ａへ入力されるものの、ＳＷ３６ａはオフ（非導通）状態であるため、シフトレジスタ３５ａ１へは入力されない。また、シフトレジスタ３５ａ４、３５ｂ４・・・からの出力Ｑ４は、ゲート線ＧＬへ出力されるものの、ＳＷ３６ｂ・３６ｃ…がオフ（非導通）状態であるため、後段のトランジスタのシフトトランジスタへは入力されない。
【００５９】
第２ＧＳＰ８Ｇ２は、各ゲートドライバ３５ａ１・３５ｂ１・３５ｃ１…の先頭のシフトレジスタ３５ａ１・３５ｂ１・３５ｃ１…に、同タイミングでオン（ハイ）レベルとなる信号として入力される。
【００６０】
先頭のシフトレジスタ３５ａ１は、ＧＣＫと、オン（ハイ）レベルの第２ＧＳＰ８Ｇ２とが入力されると、出力Ｑ１を、自身と接続されているゲート線ＧＬ及び後段のシフトレジスタ３５ａ２へ出力する。出力Ｑ１が入力されたゲート線ＧＬは選択状態となり、当該ゲート線ＧＬに接続されたセル５１に黒書き込みがされる。
【００６１】
シフトレジスタ３５ａ２は、出力Ｑ１とＧＣＫとが入力されると、出力Ｑ２を、自身と接続されているゲート線ＧＬ及び後段のシフトレジスタ３５ａ３へ出力する。出力Ｑ２が入力されたゲート線ＧＬは選択状態となり、当該ゲート線ＧＬに接続されたセル５１に黒書き込みがされる。シフトレジスタ３５ａ３は、出力Ｑ２とＧＣＫとが入力されると、出力Ｑ３を、自身と接続されているゲート線ＧＬ及び後段のシフトレジスタ３５ａ４へ出力する。出力Ｑ３が入力されたゲート線ＧＬは選択状態となり、当該ゲート線ＧＬに接続されたセル５１に黒書き込みがされる。シフトレジスタ３５ａ４は、出力Ｑ３とＧＣＫとが入力されると、出力Ｑ４を、自身と接続されているゲート線ＧＬ及びＳＷ３６ｂへ出力する。出力Ｑ４が入力されたゲート線ＧＬは選択状態となり、当該ゲート線ＧＬに接続されたセル５１に黒書き込みがされる。ＳＷ３６ｂはオフ状態（非導通状態）であるため、ＳＷ３６ｂへ入力された出力Ｑ４は、後段のシフトレジスタ３５ｂ１へは出力されない。
【００６２】
シフトレジスタ３５ｂ１は、ＧＣＫとオン（ハイ）レベルの第２ＧＳＰ８Ｇ２とが入力されると、出力Ｑ１を、自身と接続されているゲート線ＧＬ及び後段のシフトレジスタ３５ｂ２へ出力する。出力Ｑ１が入力されたゲート線ＧＬは選択状態となり、当該ゲート線ＧＬに接続されたセル５１に黒書き込みがされる。シフトレジスタ３５ｂ２は、出力Ｑ１とＧＣＫとが入力されると、出力Ｑ２を、自身と接続されているゲート線ＧＬ及び後段のシフトレジスタ３５ｂ３へ出力する。出力Ｑ２が入力されたゲート線ＧＬは選択状態となり、当該ゲート線ＧＬに接続されたセル５１に黒書き込みがされる。
【００６３】
シフトレジスタ３５ｂ３は、出力Ｑ２とＧＣＫとが入力されると、出力Ｑ３を、自身と接続されているゲート線ＧＬ及び後段のシフトレジスタ３５ｂ４へ出力する。出力Ｑ３が入力されたゲート線ＧＬは選択状態となり、当該ゲート線ＧＬに接続されたセル５１に黒書き込みがされる。シフトレジスタ３５ｂ４は、出力Ｑ３とＧＣＫとが入力されると、出力Ｑ４を、自身と接続されているゲート線ＧＬ及びＳＷ３６ｃへ出力する。出力Ｑ４が入力されたゲート線ＧＬは選択状態となり、当該ゲート線ＧＬに接続されたセル５１に黒書き込みがされる。ＳＷ３６ｃはオフ（非導通）状態であるため、ＳＷ３６ｃへ入力された出力Ｑ４は、後段のシフトレジスタ３５ｃ１へは出力されない。
【００６４】
シフトレジスタ３５ｃ１以降のシフトレジスタも同様にしてシフト動作を行っていく。これにより、表示パネル５０の全面に黒映像が表示される。
【００６５】
図５は、液晶表示装置１が黒書き込みをする際のタイミングチャートを表す図である。
【００６６】
第１の時刻ｔ１までの期間は、メイン電源１１がオンの状態である。第１の時刻ｔ１において、ユーザ等によってメイン電源１１がオフされると、遮断検出部１４は、メイン電源１１がオフされたことを検知し、遮断検出信号をオフレベルからオンレベルへ立ち上げる。遮断検出部１４は、サブ電源部１３及び主制御部５へ、オンレベルの遮断検出信号を出力する。
【００６７】
サブ電源部１３は、オンレベルの遮断検出信号が入力されると立ち上がり、パネル電源１２へ電力の供給を開始する。
【００６８】
主制御部５は、オンレベルの遮断検出信号が入力されると、矩形波であるリセット信号をＴＣＯＮ２０へ出力する。
【００６９】
ＴＣＯＮ２０は、リセット信号が入力されると、制御信号をＳＷ３６ａ〜３６ｈへ出力することで、ＳＷ３６ａ〜３６ｈをオン状態からオフ状態へ切り替える。また、ＴＣＯＮ２０は、リセット信号の立下りと同期させてオンレベルの第２ＧＳＰ８Ｇ２を生成し、各ゲートドライバ３５ａ〜３５ｈにおける先頭のシフトレジスタへ出力する。
【００７０】
ゲートドライバ３５ａ〜３５ｈは、第２ＧＳＰ８Ｇ２が入力されると、それぞれのシフトレジスタが同タイミングでかつ一斉にシフト動作を行うことで、黒書き込みが行われる。これにより、表示パネル５０は黒映像を表示する。
【００７１】
図６は、本発明の実施形態１に係る液晶表示装置１が黒映像を表示する様子を表す図である。図６に示すように、メイン電源１１が遮断され、サブ電源部１３を用いて黒映像を表示する際、各ＳＷ３６ａ〜３６ｈはオフ（非導通）状態に切り替わっている。ＴＣＯＮ２０が、オンレベルの第２ＧＳＰ８Ｇ２を、各ゲートドライバ３５ａ〜３５ｈへ出力すると、矢印Ａ２に示すように、各ゲートドライバ３５ａ〜３５ｈそれぞれの各シフトレジスタは、同タイミングで、一斉にシフト動作を行う。これにより、例えば、表示パネル５０を８分割したそれぞれの領域毎に、同時に黒書き込みが実行される。
【００７２】
図７は、黒書き込みをする際の長さを比較した図である。液晶表示装置１は、サブ電源部１３により黒書き込みをする際、各ゲートドライバ３５ａ〜３５ｈがパラレルで、同時に黒書き込みをしていく。このため、各ゲートドライバ３５ａ〜３５ｈを順番に駆動させることで黒書き込みをする場合と比べて、黒書き込みを完了する時間の長さ、すなわち、メイン電源１１が遮断された後に黒映像の表示を完了するまでの時間の長さを短くすることができる。
【００７３】
図８は、液晶表示装置１を備えるテレビジョン受像機９の構成を表す図である。液晶表示装置１は、一例として、図８に示すように、テレビジョン受像機９に用いることができる。
【００７４】
（主な利点）
以上のように、液晶表示装置１は、マトリクス状にセル５１を備える表示パネル５０と、セル５１を駆動するソースドライバ４０及び複数のゲートドライバ３５ａ〜３５ｈと、メイン電源１１がオフされたことを検知する遮断検出部１４と、遮断検出部１４がメイン電源１１のオフへの切り替わりを検知したときに、表示パネル５０へ電力を供給するサブ電源部１３とを備えている。
【００７５】
さらに、液晶表示装置１は、遮断検出部１４がメイン電源１１のオフを検知したときに、サブ電源部１３を用いて、複数のゲートドライバ３５ａ〜３５ｈに、同じタイミングで第２ＧＳＰ８Ｇ２を出力し、複数のゲートドライバ３５ａ〜３５ｈ及びソースドライバ４０に各セル５１の黒映像を出力させるＴＣＯＮ２０を備える。
【００７６】
上記構成によると、電力を供給する電源がメイン電源１１からサブ電源部１３へ切り替わると、ＴＣＯＮ２０は、複数のゲートドライバ３５ａ〜３５ｈに、同じタイミングで第２ＧＳＰ８Ｇ２を出力する。これにより、複数のゲートドライバ３５ａ〜３５ｈは、それぞれ、第２ＧＳＰ８Ｇ２の入力をきっかけとして、それぞれに接続されているゲート線ＧＬを順次走査していく。このため、ゲートドライバ３５ａ〜３５ｈは、同タイミングで、並行して黒書き込みを行う。
【００７７】
このため、複数のゲートドライバ３５ａ〜３５ｈを順番に駆動させることで黒書き込みを行う場合と比べて、短時間で黒書き込み、すなわち、黒映像の表示を完了することができる。換言すると、より早い時間で、各セル５１に蓄積した電荷を抜き取ることができる。
【００７８】
このように、液晶表示装置１によると、黒映像を表示するために要する電力を減らすことができるため、サブ電源部１３の容量を減らすことができる。
【００７９】
特に、本実施形態１では、ＴＣＯＮ２０は、複数のゲートドライバ３５ａ〜３５ｈの全てに第２ＧＳＰ８Ｇ２を出力する。このため、複数のゲートドライバ３５ａ〜３５ｈの全てが同タイミングで走査を始め、黒書き込みを行う。このため、より短時間で黒書き込みの完了、すなわち、黒映像の表示の完了を行うことができる。このため、よりサブ電源部１３の容量を小さくすることができる。
【００８０】
液晶表示装置１では、ゲートドライバ３５ａ〜３５ｈが同時に黒書き込みをするため、ゲートドライバ３５ａ〜３５ｈを順番に駆動させて黒書き込みをする場合と比べて、１／８の時間にて黒書き込みを完了することができる。
【００８１】
〔実施形態２〕
本発明の他の実施形態２について、図９〜図１１に基づいて説明すれば、以下のとおりである。なお、説明の便宜上、実施形態１にて説明した部材と同じ機能を有する部材については、同じ符号を付記し、その説明を省略する。
【００８２】
図９は、本発明の実施形態２に係る第１状態である液晶表示装置１Ａの構成を表す図である。液晶表示装置１Ａは、液晶表示装置１（図１参照）が備えていた駆動回路７に換えて、駆動回路７Ａを備えている点で、液晶表示装置１と相違する。液晶表示装置１Ａの他の構成は液晶表示装置１と同様である。
【００８３】
駆動回路７Ａは、ＴＣＯＮ２０Ａと、ゲートドライバユニット３０Ａと、ソースドライバ４０と、画像データ回路４５とを備えている。
【００８４】
ゲートドライバユニット３０Ａは、基板３１と、複数のゲートドライバ３５ａ〜３５ｈと、リピータ３３と、ＳＷ３４とを備えている。複数のゲートドライバ３５ａ〜３５ｈは基板３１に直列配置されている。リピータ３３と、ＳＷ３４とは、基板３１に配置されていてもよいし、他の基板に配置されていてもよい。
【００８５】
ゲートドライバ３５ａ〜３５ｄ間、及び、ゲートドライバ３５ｅ〜３５ｈ間は、それぞれ、配線３７ａ〜３７ｃ、及び、配線３７ｄ〜３７ｆによって接続されている。
【００８６】
すなわち、ゲートドライバ３５ａが有するシフトレジスタのうち、最終段のシフトレジスタの出力用の端部と、次段のゲートドライバ３５ｂが有するシフトレジスタのうち先頭のシフトレジスタの入力用の端部とが配線３７ａにより接続されている。ゲートドライバ３５ｂが有するシフトレジスタのうち、最終段のシフトレジスタの出力用の端部と、次段のゲートドライバ３５ｃが有するシフトレジスタのうち先頭のシフトレジスタの入力用の端部とが配線３７ｂにより接続されている。ゲートドライバ３５ｃが有するシフトレジスタのうち、最終段のシフトレジスタの出力用の端部と、次段のゲートドライバ３５ｄが有するシフトレジスタのうち先頭のシフトレジスタの入力用の端部とが配線３７ｃにより接続されている。
【００８７】
ゲートドライバ３５ｄが有するシフトレジスタのうち、最終段のシフトレジスタの出力用の端部３５ｄａは、ＳＷ３４の接続端部３４ｄと接続されている。
【００８８】
ＳＷ３４の接続端部３４ｅは、ゲートドライバ３５ｅが有するシフトレジスタのうち、先頭のシフトレジスタの入力用の端部３５ｅａと接続されている。
【００８９】
ゲートドライバ３５ｅが有するシフトレジスタのうち、最終段のシフトレジスタの出力用の端部と、次段のゲートドライバ３５ｆが有するシフトレジスタのうち先頭のシフトレジスタの入力用の端部とが配線３７ｄにより接続されている。ゲートドライバ３５ｆが有するシフトレジスタのうち、最終段のシフトレジスタの出力用の端部と、次段のゲートドライバ３５ｇが有するシフトレジスタのうち先頭のシフトレジスタの入力用の端部とが配線３７ｅにより接続されている。ゲートドライバ３５ｇが有するシフトレジスタのうち、最終段のシフトレジスタの出力用の端部と、次段のゲートドライバ３５ｈが有するシフトレジスタのうち先頭のシフトレジスタの入力用の端部とが配線３７ｆにより接続されている。
【００９０】
ＴＣＯＮ２０Ａから出力される第１ＧＳＰ８Ｇ１が通る配線は、ゲートドライバ３５ａの先頭のシフトレジスタの入力用の端部と接続されていると共に、リピータ３３の入力用の端部へも接続されている。
【００９１】
リピータ３３の出力用の端部は、ＳＷ３４の接続端部３４ａと接続されている。リピータ３３は、ＴＣＯＮ２０からの制御信号により、オン状態及びオフ状態が切り替えられる。リピータ３３は、メイン電源１１を用いて通常映像を表示する際はオフ状態であり、サブ電源部１３を用いて黒映像を表示する際はオン状態となる。
【００９２】
ＳＷ３４は、上述のように、３個の接続端部３４ａ・３４ｄ・３４ｅを有する。接続端部３４ａは、リピータ３３の出力用の端部と接続されており、接続端部３４ｄはゲートドライバ３５ｄの最終段のシフトレジスタの出力用の端部３５ｄａと接続されており、接続端部３４ｅはゲートドライバ３５ｅの先頭のシフトレジスタの入力用の端部３５ｅａと接続されている。
【００９３】
リピータ３３は、ＴＣＯＮ２０Ａからの制御信号により、オン状態とオフ状態とが切り替わる。メイン電源１１により通常映像を表示する際、リピータ３３はオフ状態となる。一方、サブ電源部１３により黒映像を表示する際、リピータ３３はオン状態となる。
【００９４】
ＳＷ３４は、ＴＣＯＮ２０Ａからの制御信号により、接続端部３４ａ・３４ｄ・３４ｅ間の接続状態を変化させる。
【００９５】
メイン電源１１により通常映像を表示する際、ＳＷ３４は、接続端部３４ｄ・３４ｅ間を導通させ、接続端部３４ａ・３４ｄ間及び接続端部３４ａ・３４ｅ間を遮断する。これにより、ゲートドライバ３５ｄのうちの最終段のシフトレジスタの出力用の端部３５ｄａと、次段のゲートドライバ３５ｅのうちの先頭のシフトレジスタの入力用の端部３５ｅａとは電気的に接続される。
【００９６】
このように、ＳＷ３４の接続状態のうち、接続端部３４ｄ・３４ｅ間が接続されている状態を、第１状態と称する。
【００９７】
液晶表示装置１Ａは、ＳＷ３４が第１状態のときに、第１ＧＳＰ８Ｇ１が、ＴＣＯＮ２０Ａからゲートドライバ３５ａの先頭のシフトレジスタに入力されると、矢印Ｂに示すように、各ゲートドライバ３５ａ〜３５ｈは、順次シフト動作を行うことで、表示パネル５０は、通常書き込みを行うことで、通常映像を表示する。
【００９８】
図１０は、本発明の実施形態２に係る第２状態である液晶表示装置１Ａの構成を表す図である。
【００９９】
サブ電源部１３により黒映像を表示する際、ＳＷ３４は、接続端部３４ａ・３４ｅ間を導通させ、接続端部３４ａ・３４ｄ間及び接続端部３４ｄ・３４ｅ間を遮断する。これにより、ゲートドライバ３５ｄのうちの最終段のシフトレジスタの出力用の端部３５ｄａと、次段のゲートドライバ３５ｅのうちの先頭のシフトレジスタの入力用の端部３５ｅａとは電気的に遮断させると共に、ゲートドライバ３５ｅのうちの先頭のシフトレジスタの入力用の端部３５ｅａと、リピータ３３の出力用の端部とが電気的に接続される。
【０１００】
このように、ＳＷ３４の状態のうち、接続端部３４ａ・３４ｅ間が接続されている状態を第２状態と称する。
【０１０１】
液晶表示装置１Ａは、ＳＷ３４が第２状態のときに、第２ＧＳＰ８Ｇ２が、ＴＣＯＮ２０Ａから、ゲートドライバ３５ａの先頭のシフトレジスタに入力されると共に、同タイミングで、リピータ３３及びＳＷ３４の接続端部３４ａ・３４ｅを介して、ゲートドライバ３５ｅの先頭のシフトレジスタにも入力される。
【０１０２】
このため、矢印Ｃ１に示すように、各ゲートドライバ３５ａ〜３５ｄは、順次シフト動作を行うことで、表示パネル５０は、黒書き込みを行うことにより黒映像を表示すると共に、同タイミングで、矢印Ｃ２に示すように、各ゲートドライバ３５ｅ〜３５ｈは、順次シフト動作を行うことで、表示パネル５０は、黒書き込みを行うことにより黒映像を表示する。
【０１０３】
黒書き込みの際、表示パネル５０の上端から下端まで順次ゲート線ＧＬを走査することで黒書き込みを終了するまでに要する時間をｔ３とすると、液晶表示装置１Ａは、ゲートドライバ３５ａ〜３５ｄと、ゲートドライバ３５ｅ〜３５ｈとを同タイミングで順次駆動することで、それぞれのゲートドライバに接続されているゲート線ＧＬを順次、パラレルで選択していくため、黒書き込みを終了するまでに要する時間は、（１／２）×ｔ３時間で済む。
【０１０４】
図１１は、液晶表示装置１Ａが黒書き込みをする際のタイミングチャートを表す図である。
【０１０５】
第１の時刻ｔ１までの期間は、メイン電源１１がオンの状態である。第１の時刻ｔ１において、ユーザ等によってメイン電源１１がオフされると、遮断検出部１４は、メイン電源１１がオフされたことを検知し、遮断検出信号をオフレベルからオンレベルへ立ち上げる。遮断検出部１４は、サブ電源部１３及び主制御部５へ、オンレベルの遮断検出信号を出力する。
【０１０６】
サブ電源部１３は、オンレベルの遮断検出信号が入力されると立ち上がり、パネル電源１２へ電力の供給を開始する。
【０１０７】
主制御部５は、オンレベルの遮断検出信号が入力されると、矩形波であるリセット信号をＴＣＯＮ２０Ａへ出力する。
【０１０８】
ＴＣＯＮ２０Ａは、リセット信号が入力されると、制御信号をＳＷ３４へ出力することで、ＳＷ３４を第１状態から第２状態へ切り替える。また、ＴＣＯＮ２０Ａは、制御信号を出力することで、リピータ３３をオフ状態からオン状態へ切り替える。さらに、ＴＣＯＮ２０Ａは、リセット信号の立上がりと同期させてオンレベルの第２ＧＳＰ８Ｇ２を生成し、ゲートドライバ３５ａの先頭のシフトレジスタへ出力すると共に、リピータ３３及びＳＷ３４を介してゲートドライバ３５ｅの先頭のシフトレジスタへも出力する。
【０１０９】
ゲートドライバ３５ａ・３５ｅは、第２ＧＳＰ８Ｇ２が入力されると、それぞれのシフトレジスタが同タイミングでかつ一斉にシフト動作を行うことで、黒書き込みが行われる。そして、以降のゲートドライバ３５ｂ〜３５ｄと、ゲートドライバ３５ｆ〜３５ｈもそれぞれ同タイミングでシフト動作を行うことで、黒書き込みが行われる。これにより、表示パネル５０は黒映像を表示する。
【０１１０】
このように、液晶表示装置１ＡのＴＣＯＮ２０Ａは、メイン電源１１のオフを検知したときに、サブ電源部１３を用いて、複数のゲートドライバ３５ａ・３５ｅに、同じ第２ＧＳＰ８Ｇ２を出力し、当該複数のゲートドライバ３５ａ・３５ｅ及びソースドライバ４０にて各セル５１に黒映像を出力させる。
【０１１１】
具体的には、ゲートドライバ３５ａが走査するゲート線ＧＬに接続されている各セル５１が配置されている表示パネル５０上の領域を第１領域とし、ゲートドライバ３５ｅが走査するゲート線ＧＬに接続されている各セル５１が配置されている表示パネル５０上の領域を第２領域とすると、ＴＣＯＮ２０Ａは、異なる領域である第１領域及び第２領域に配置されている各セル５１の電荷をパラレルで抜き取るために、ゲートドライバ３５ａと、ゲートドライバ３５ｅとの両方に、第２ＧＳＰ８Ｇ２を出力する。
【０１１２】
これにより、ゲートドライバ３５ａ〜３５ｄと、ゲートドライバ３５ｅ〜３５ｈとは同タイミングで、並列して黒書き込みを行う。
【０１１３】
このため、複数のゲートドライバ３５ａ〜３５ｈを順番に駆動させることで黒書き込みを行う場合と比べて、短時間で黒書き込み、すなわち、黒映像の表示を完了することができる。換言すると、より早い時間で、各セル５１に蓄積した電荷を抜き取ることができる。
【０１１４】
このように、液晶表示装置１Ａによると、黒映像を表示するために要する電力を減らすことができるため、サブ電源部１３の容量を減らすことができる。
【０１１５】
液晶表示装置１Ａによると、複数のゲートドライバ３５ａ〜３５ｈを順番に駆動させることで黒書き込みを行う場合と比べて、１／２の時間にて黒書き込みを完了することができる。
【０１１６】
さらに、黒書き込みを行う際、ゲートドライバ３５ｄと、当該ゲートドライバ３５ｄの後段に配置されているゲートドライバ３５ｅとの間に設けられたＳＷ３４を非導通とすることで、ゲートドライバ３５ｄ・３５ｅ間を電気的に遮断するため、ゲートドライバ３５ｄの出力Ｑ４が、ゲートドライバ３５ｅへ入力されてしまうことを防止することができるため、ゲートドライバ３５ｅ〜３５ｈの誤作動を防止することができる。
【０１１７】
〔実施形態３〕
本発明の他の実施形態３について、図１２〜図１４に基づいて説明すれば、以下のとおりである。なお、説明の便宜上、実施形態１、２にて説明した部材と同じ機能を有する部材については、同じ符号を付記し、その説明を省略する。
【０１１８】
図１２は、本発明の実施形態３に係る液晶表示装置１Ｂが通常映像を表示する様子を表す図である。
【０１１９】
液晶表示装置１Ｂは、液晶表示装置１（図１参照）が備えていた駆動回路７に換えて、駆動回路７Ｂを備えている点で、液晶表示装置１と相違する。液晶表示装置１Ｂの他の構成は液晶表示装置１と同様である。
【０１２０】
駆動回路７Ｂは、ＴＣＯＮ２０Ｂと、ゲートドライバユニット３０Ｂと、ソースドライバ４０と、画像データ回路４５とを備えている。
【０１２１】
ゲートドライバユニット３０Ｂは、基板３１と、複数のゲートドライバ３５ａ〜３５ｈと、ＳＷ３８とを備えている。複数のゲートドライバ３５ａ〜３５ｈは基板３１に直列配置されている。ＳＷ３８は、基板３１に配置されていてもよいし、他の基板に配置されていてもよい。
【０１２２】
ゲートドライバ３５ａ〜３５ｄ間、及び、ゲートドライバ３５ｅ〜３５ｈ間は、それぞれ、配線３７ａ〜３７ｃ、及び、配線３７ｄ〜３７ｆによって接続されている。
【０１２３】
すなわち、ゲートドライバ３５ａが有するシフトレジスタのうち、最終段のシフトレジスタの端部と、次段のゲートドライバ３５ｂが有するシフトレジスタのうち先頭のシフトレジスタの入力用の端部とが配線３７ａにより接続されている。ゲートドライバ３５ｂが有するシフトレジスタのうち、最終段のシフトレジスタの出力用の端部と、次段のゲートドライバ３５ｃが有するシフトレジスタのうち先頭のシフトレジスタの入力用の端部とが配線３７ｂにより接続されている。ゲートドライバ３５ｃが有するシフトレジスタのうち、最終段のシフトレジスタの出力用の端部と、次段のゲートドライバ３５ｄが有するシフトレジスタのうち先頭のシフトレジスタの入力用の端部とが配線３７ｃにより接続されている。
【０１２４】
ゲートドライバ３５ｄが有するシフトレジスタのうち、最終段のシフトレジスタの出力用の端部３５ｄａは、ＳＷ３８の接続端部３８ｄと接続されている。
【０１２５】
ＳＷ３８の接続端部３８ｅは、ゲートドライバ３５ｅが有するシフトレジスタのうち、先頭のシフトレジスタの入力用の端部３５ｅａと接続されている。
【０１２６】
ゲートドライバ３５ｅが有するシフトレジスタのうち、最終段のシフトレジスタの出力用の端部と、次段のゲートドライバ３５ｆが有するシフトレジスタのうち先頭のシフトレジスタの入力用の端部とが配線３７ｄにより接続されている。ゲートドライバ３５ｆが有するシフトレジスタのうち、最終段のシフトレジスタの出力用の端部と、次段のゲートドライバ３５ｇが有するシフトレジスタのうち先頭のシフトレジスタの入力用の端部とが配線３７ｅにより接続されている。ゲートドライバ３５ｇが有するシフトレジスタのうち、最終段のシフトレジスタの出力用の端部と、次段のゲートドライバ３５ｈが有するシフトレジスタのうち先頭のシフトレジスタの入力用の端部とが配線３７ｆにより接続されている。
【０１２７】
ゲートドライバ３５ｈが有するシフトレジスタのうち、最終段のシフトレジスタの出力用の端部３５ｈａは、ＴＣＯＮ２０Ｂと接続されている。
【０１２８】
ＴＣＯＮ２０Ｂから出力される第１ＧＳＰ８Ｇ１が通る配線は、ゲートドライバ３５ａの先頭のシフトレジスタの入力用の端部と接続されている。
【０１２９】
ＳＷ３８は、ＴＣＯＮ２０Ｂからの制御信号により、接続端部３８ｄ・３８ｅ間の導通状態及び非導通状態を切り替える。
【０１３０】
メイン電源１１により通常映像を表示する際、ＳＷ３８は、接続端部３８ｄ・３８ｅ間を導通させる。これにより、ゲートドライバ３５ｄのうちの最終段のシフトレジスタの出力用の端部３５ｄａと、次段のゲートドライバ３５ｅのうちの先頭のシフトレジスタの入力用の端部３５ｅａとは電気的に接続される。
【０１３１】
液晶表示装置１Ｂは、メイン電源１１により通常映像を表示する際、第１ＧＳＰ８Ｇ１が、ＴＣＯＮ２０Ｂからゲートドライバ３５ａの先頭のシフトレジスタに入力されると、矢印Ｄに示すように、各ゲートドライバ３５ａ〜３５ｈは、順次シフト動作を行うことで、表示パネル５０は、通常書き込みを行うことで、通常映像を表示する。
【０１３２】
図１３は、本発明の実施形態３に係る液晶表示装置１Ｂが黒映像を表示する様子を表す図である。
【０１３３】
サブ電源部１３により黒映像を表示する際、ＳＷ３８は、接続端部３８ａ・３８ｅ間を非導通とする。これにより、ゲートドライバ３５ｄのうちの最終段のシフトレジスタの出力用の端部３５ｄａと、次段のゲートドライバ３５ｅのうちの先頭のシフトレジスタの入力用の端部３５ｅａとを電気的に遮断する。
【０１３４】
液晶表示装置１Ｂがサブ電源部１３により黒映像を表示する際、ＴＣＯＮ２０Ｂは、第２ＧＳＰ８Ｇ２を、ゲートドライバ３５ａの先頭のシフトレジスタに入力すると共に、ゲートドライバ３５ｈの最後段であったシフトレジスタの端部３５ｈａにも入力する。このゲートドライバ３５ｈの最後段であったシフトレジスタは、黒書き込みをする際は、ゲートドライバ３５ｈにおいて先頭のシフトレジスタとなり、また、端部３５ｈａは第２ＧＳＰ８Ｇ２の入力用の端部となる。すなわち、黒映像を表示する際、ゲートドライバ３５ｈ〜３５ｅそれぞれが備える各シフトレジスタへの第２ＧＳＰ８Ｇ２の入力及び出力の関係は、通常映像を表示する際の第１ＧＳＰ８Ｇ２の入力及び出力の関係と逆向きとなる。
【０１３５】
このため、矢印Ｅ１に示すように、各ゲートドライバ３５ａ〜３５ｄは、順次シフト動作を行うことで、表示パネル５０は、黒書き込みを行うことにより黒映像を表示すると共に、同タイミングで、矢印Ｅ２に示すように、各ゲートドライバ３５ｈ〜３５ｅは、ゲートドライバ３５ｈからゲートドライバ３５ｅへ向けて順次シフト動作を行う。これにより、表示パネル５０は、黒書き込みを行う際は、上端側からと下端側から２方向から同タイミングで黒書き込みを順次行うことにより黒映像を表示する。
【０１３６】
図１４は、液晶表示装置１Ｂが黒書き込みをする際のタイミングチャートを表す図である。
【０１３７】
第１の時刻ｔ１までの期間は、メイン電源１１がオンの状態である。第１の時刻ｔ１において、ユーザ等によってメイン電源１１がオフされると、遮断検出部１４は、メイン電源１１がオフされたことを検知し、遮断検出信号をオフレベルからオンレベルへ立ち上げる。遮断検出部１４は、サブ電源部１３及び主制御部５へ、オンレベルの遮断検出信号を出力する。
【０１３８】
サブ電源部１３は、オンレベルの遮断検出信号が入力されると立ち上がり、パネル電源１２へ電力の供給を開始する。
【０１３９】
主制御部５は、オンレベルの遮断検出信号が入力されると、矩形波であるリセット信号をＴＣＯＮ２０Ｂへ出力する。
【０１４０】
ＴＣＯＮ２０Ｂは、リセット信号が入力されると、制御信号をＳＷ３４へ出力することで、ＳＷ３８をオン（導通）状態からオフ（非導通）状態へ切り替える。また、ＴＣＯＮ２０Ｂは、制御信号を出力することで、リピータ３３をオフ状態からオン状態へ切り替える。さらに、ＴＣＯＮ２０Ｂは、リセット信号の立上がりと同期させてオンレベルの第２ＧＳＰ８Ｇ２を生成し、ゲートドライバ３５ａの先頭のシフトレジスタへ出力すると共に、ゲートドライバ３５ｈの端に位置するシフトレジスタの端部３５ｈａへも出力する。
【０１４１】
ゲートドライバ３５ａ・３５ｈは、第２ＧＳＰ８Ｇ２が入力されると、それぞれのシフトレジスタが同タイミングでかつ一斉にシフト動作を行うことで、黒書き込みが行われる。そして、以降のゲートドライバ３５ｂ〜３５ｄと、ゲートドライバ３５ｇ〜３５ｅもそれぞれ同タイミングでシフト動作を行うことで、黒書き込みが行われる。これにより、表示パネル５０は黒映像を表示する。
【０１４２】
このように、液晶表示装置１ＢのＴＣＯＮ２０Ｂは、メイン電源１１のオフを検知したときに、サブ電源部１３を用いて、複数のゲートドライバ３５ａ・３５ｈに、同じ第２ＧＳＰ８Ｇ２を出力し、当該複数のゲートドライバ３５ａ・３５ｈ及びソースドライバ４０にて各セル５１に黒映像を出力させる。
【０１４３】
具体的には、ゲートドライバ３５ａが走査するゲート線ＧＬに接続されている各セル５１が配置されている表示パネル５０上の領域を第１領域とし、ゲートドライバ３５ｈが走査するゲート線ＧＬに接続されている各セル５１が配置されている表示パネル５０上の領域を第２領域とすると、ＴＣＯＮ２０Ａは、異なる領域である第１領域及び第２領域に配置されている各セル５１の電荷をパラレルで抜き取るために、ゲートドライバ３５ａと、ゲートドライバ３５ｈとの両方に、第２ＧＳＰ８Ｇ２を出力する。
【０１４４】
より具体的には、液晶表示装置１Ｂでは、ゲートドライバ３５ａと、ゲートドライバ３５ｈとは、黒映像を出力するためにゲート線ＧＬの走査方向（図１３：矢印Ｅ１・Ｅ２参照）が異なっており、ＴＣＯＮ２０Ｂは、ゲートドライバ３５ａ及びゲートドライバ３５ｈそれぞれにおける、最初に走査を開始するシフトレジスタに対し、同じタイミングで第２ＧＳＰ８Ｇ２を出力する。
【０１４５】
これにより、ゲートドライバ３５ａ〜３５ｄと、ゲートドライバ３５ｈ〜３５ｅとは同タイミングで、並列して黒書き込みを行う。
【０１４６】
このため、複数のゲートドライバ３５ａ〜３５ｈを順番に駆動させることで黒書き込みを行う場合と比べて、短時間で黒書き込み、すなわち、黒映像の表示を完了することができる。換言すると、より早い時間で、各セル５１に蓄積した電荷を抜き取ることができる。
【０１４７】
このように、液晶表示装置１Ｂによると、黒映像を表示するために要する電力を減らすことができるため、サブ電源部１３の容量を減らすことができる。
【０１４８】
液晶表示装置１Ｂによると、複数のゲートドライバ３５ａ〜３５ｈを順番に駆動させることで黒書き込みを行う場合と比べて、１／２の時間にて黒書き込みを完了することができる。
【０１４９】
さらに、黒書き込みを行う際、ゲートドライバ３５ｄと、当該ゲートドライバ３５ｄの後段に配置されているゲートドライバ３５ｅとの間に設けられたＳＷ３８を非導通とすることで、ゲートドライバ３５ｄ・３５ｅ間を電気的に遮断するため、ゲートドライバ３５ｄの出力Ｑ４が、ゲートドライバ３５ｅへ入力されてしまう、または、ゲートドライバ３５ｅの出力がゲートドライバ３５ｄへ入力されてしまうことを防止することができる。このため、ゲートドライバ３５ｅ〜３５ｈ・３５ｄ〜３５ａの誤作動を防止することができる。
【０１５０】
〔まとめ〕
本発明の態様１に係る表示装置（液晶表示装置１・１Ａ・１Ｂ）は、液晶素子（セル５１）を備える表示パネル５０と、上記液晶素子（セル５１）を駆動する信号線駆動部（ソースドライバ４０）及び複数の走査線駆動部（ゲートドライバ３５ａ〜３５ｈ）と、メイン電源１１がオフされたことを検知するメイン電源オフ検知部（遮断検出部１４）と、メイン電源１１がオフになった際、少なくとも上記信号線駆動部（ソースドライバ４０）及び上記複数の走査線駆動部（ゲートドライバ３５ａ〜３５ｈ）を含む回路の電源電圧の降下を遅延させるサブ電源部１３とを備えた表示装置（液晶表示装置１・１Ａ・１Ｂ）において、上記メイン電源１１のオフを検知したときに、上記サブ電源部１３を用いて、上記複数の走査線駆動部（ゲートドライバ３５ａ〜３５ｈ）に、同じタイミングでゲートスタートパルス（第２ＧＳＰ８Ｇ２）を出力し、当該複数の走査線駆動部（ゲートドライバ３５ａ〜３５ｈ）及び上記信号線駆動部（ゲートドライバ４０）にて上記液晶素子（セル５１）に黒映像を出力させるタイミングコントローラ（ＴＣＯＮ２０・２０Ａ・２０Ｂ）を備える。
【０１５１】
上記構成によると、電力を供給する電源がメイン電源１１からサブ電源部１３へ切り替わると、タイミングコントローラは、複数の走査線駆動部に、同じタイミングでゲートスタートパルスを出力する。これにより、複数の走査線駆動部は、それぞれ、ゲートスタートパルスの入力をきっかけとして、それぞれに接続されている走査線を順次走査していく。このため、複数の走査線駆動部は、同タイミングで、並行して黒書き込みを行う。
【０１５２】
このため、複数の走査線駆動部を順番に駆動させることで黒書き込みを行う場合と比べて、短時間で黒書き込み、すなわち、黒映像の表示を完了することができる。換言すると、より早い時間で、各液晶素子に蓄積した電荷を抜き取ることができる。
【０１５３】
このように、表示装置によると、黒映像を表示するために要する電力を減らすことができるため、サブ電源部の容量を減らすことができる。
【０１５４】
本発明の態様２に係る表示装置（液晶表示装置１）は、上記態様１において、上記タイミングコントローラ（ＴＣＯＮ２０）は、上記複数の走査線駆動部（ゲートドライバ３５ａ〜３５ｈ）の全てに上記ゲートスタートパルス（第２ＧＳＰ８Ｇ２）を出力することが好ましい。
【０１５５】
上記構成によると、タイミングコントローラは、複数の走査線駆動部の全てにゲートスタートパルスを出力する。このため、複数の走査線駆動部の全てが同タイミングで走査を始め、黒書き込みを行う。これにより、より短時間で黒書き込みの完了、すなわち、黒映像の表示の完了を行うことができる。このため、よりサブ電源部の容量を小さくすることができる。
【０１５６】
本発明の態様３に係る表示装置（液晶表示装置１Ａ・１Ｂ）は、上記態様１において、上記複数の走査線駆動部（ゲートドライバ３５ａ・３５ｅ、ゲートドライバ３５ａ・３５ｈ）は、上記表示パネル５０のうち、第１の領域に含まれる上記液晶素子（セル５１）を駆動する第１の走査線駆動部（ゲートドライバ３５ａ）と、第１の領域とは異なる第２の領域に含まれる上記液晶素子（セル５１）を駆動する第２の走査線駆動部（ゲートドライバ３５ｅ・３５ｈ）とを含み、上記タイミングコントローラ（ＴＣＯＮ２０Ａ・２０Ｂ）は、上記第１の走査線駆動部（ゲートドライバ３５ａ）及び上記第２の走査線駆動部（ゲートドライバ３５ｅ・３５ｈ）の両方に、同じタイミングで上記ゲートスタートパルス（第２ＧＳＰ８Ｇ２）を出力することが好ましい。
【０１５７】
上記構成によると、上記第１の走査線駆動部と、上記第２の走査線駆動部とは同タイミングで、並列して黒書き込みを行う。
【０１５８】
このため、上記第１の走査線駆動部及び上記第２の走査線駆動部を順番に駆動させることで黒書き込みを行う場合と比べて、短時間で黒書き込み、すなわち、黒映像の表示を完了することができる。換言すると、より早い時間で、各液晶セルに蓄積した電荷を抜き取ることができる。
【０１５９】
このように、液晶表示装置１Ａによると、黒映像を表示するために要する電力を減らすことができるため、サブ電源部の容量を減らすことができる。
【０１６０】
本発明の態様４に係る表示装置（液晶表示装置１Ｂ）は、上記態様３において、上記第１の走査線駆動部（ゲートドライバ３５ａ）と、上記第２の走査線駆動部（ゲートドライバ３５ｈ）とは、上記黒映像を出力するための走査線（ゲート線ＧＬ）の走査方向が異なっており、上記タイミングコントローラ（ＴＣＯＮ２０Ｂ）は、上記第１の走査線駆動部（ゲートドライバ３５ａ）及び上記第２の走査線駆動部（ゲートドライバ３５ｈ）のそれぞれにおける、最初に走査を開始するシフトレジスタに対し、同じタイミングで上記ゲートスタートパルス（第２ＧＳＰ８Ｇ２）を出力することが好ましい。
【０１６１】
上記構成により、上記第１の走査線駆動部と、上記第２の走査線駆動部とは同タイミングで、並列して黒書き込みを行う。このため、上記第１の走査線駆動部及び上記第２の走査線駆動部を順番に駆動させることで黒書き込みを行う場合と比べて、短時間で黒書き込み、すなわち、黒映像の表示を完了することができる。換言すると、より早い時間で、各液晶素子に蓄積した電荷を抜き取ることができる。
【０１６２】
このように、表示装置によると、黒映像を表示するために要する電力を減らすことができるため、サブ電源部の容量を減らすことができる。
【０１６３】
本発明の態様５に係るテレビジョン受像機９は、上記態様１〜４において、上記表示装置（液晶表示装置１・１Ａ・１Ｂ）を備えていることが好ましい。これにより、黒映像を表示するために要する電力を減らすことができるため、サブ電源部の容量を減らすことができるテレビジョン受像機を得ることができる。
【０１６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１６５】
１・１Ａ・１Ｂ  液晶表示装置（表示装置）
５  主制御部
７・７Ａ・７Ｂ  駆動回路
９  テレビジョン受像機
１０  電源回路部
１１  メイン電源
１２  パネル電源
５３  データ設定用トランジスタ
１３  サブ電源部
１４  遮断検出部
２０・２０Ａ・２０Ｂ  ＴＣＯＮ（タイミングコントローラ）
３０・３０Ａ・３０Ｂ  ゲートドライバユニット
３１  基板
３３  リピータ
３４  ＳＷ
３５ａ〜３５ｈ  ゲートドライバ（走査線駆動部）
３６ａ〜３６ｈ  ＳＷ
３８  ＳＷ
４０  ソースドライバ（信号線駆動部）
４５  画像データ回路
５０  表示パネル
５１  セル（液晶素子）
【図１】
2017067959.tif 000003
【図２】
2017067959.tif 000004
【図３】
2017067959.tif 000005
【図４】
2017067959.tif 000006
【図５】
2017067959.tif 000007
【図６】
2017067959.tif 000008
【図７】
2017067959.tif 000009
【図８】
2017067959.tif 000010
【図９】
2017067959.tif 000011
【図１０】
2017067959.tif 000012
【図１１】
2017067959.tif 000013
【図１２】
2017067959.tif 000014
【図１３】
2017067959.tif 000015
【図１４】
2017067959.tif 000016
【図１５】
2017067959.tif 000017